【事件の表示】
　特願２００４−３６４９４４号「睫毛をカールする方法と装置」拒絶査定不服審判事件〔平成１７年　７月２１日出願公開、特開２００５−１９３０２０号〕について、次のとおり審決する。
【結　論】
　本件審判の請求は、成り立たない。
【理　由】
第１　手続の経緯
　平成１６年１２月１６日　本件出願
　　（パリ条約による優先権主張２００３年１２月１６日、フランス国）
　平成１９年　９月２６日　拒絶理由通知
　平成２０年　３月１２日　意見書、手続補正書
　平成２０年　４月　４日　拒絶査定
　平成２０年　７月　８日　本件審判請求、手続補正書
　平成２２年　４月　７日　審尋
　平成２２年１０月１４日　回答書　
　　
第２　平成２０年７月８日付け手続補正についての補正却下の決定
［補正却下の決定の結論］
　平成２０年７月８日付け手続補正（以下「本件補正」という。）を却下する。
　　　　　　　　　　　
［理由］
１　本件補正の内容
　本件補正は、特許請求の範囲を補正するものであって、請求項１について補正前後の記載を補正箇所に下線を付して示すと以下のとおりである。
　　　　　　　　　　　　　
（１）補正前の特許請求の範囲　
　「【請求項１】
　睫毛に
対し
設計され
　ヒータ部材（４）と、
　それぞれが該ヒータ部材（４）の反対側に配置され、その中に睫毛を係合させることの出来る空間（１５）を
互いの間
列（５）少なくも二つ
、を含み
 ヒータ部材（４）と突出要素（６）の列（５）と
は
が放出する
　前記装置は縦方向中央面を有し、突出要素の列の中の少なくも幾つかの突出要素は、その自由端に進むに連れ、縦方向中央面から離れる方向を
指す
　　　　　　　　　　
（２）補正後の特許請求の範囲
　「【請求項１】
　睫毛に塗布する薬剤を収容する容器を閉じないように
構成された
　ヒータ部材（４）と、
　それぞれが該ヒータ部材（４）の反対側に配置され、その中に睫毛を係合させることのできる空間（１５）を
相互間
少なくも二つの列（５）
を有し
 ヒータ部材（４）と突出要素（６）の列（５）と
が
から放出される
　前記装置が縦方向中央面を備え、突出要素の列の中の少なくも幾つかの突出要素は、その自由端に進むに連れ、縦方向中央面から離れる方向を
指し、
列（５）が、ヒータ部材（４）の縦軸（Ｘ）を含む対称中央面（Ｐ）に対して対称的に配置される
　　　　
２　補正の適否
　上記特許請求の範囲についての補正は、本件補正前の請求項１の発明特定事項に、「列（５）が、ヒータ部材（４）の縦軸（Ｘ）を含む対称中央面（Ｐ）に対して対称的に配置される」との事項を追加するのもであるから、平成１８年法律第５５号改正附則第３条第１項によりなお従前の例によるとされる同法による改正前の特許法（以下「改正前特許法」という。）第１７条の２第４項第２号の特許請求の範囲の減縮を目的とするものに該当する。
　そこで、本件補正後における請求項１に記載された事項により特定される発明（以下「本件補正発明」という。）が特許出願の際独立して特許を受けることができるものであるか（改正前特許法第１７条の２第５項において準用する同法第１２６条第５項の規定に適合するか）について以下検討する。
　なお、請求人は、審判請求書において、本件補正の目的について何ら主張をしておらず、かつ、平成２２年４月７日付け審尋において、本件補正が特許請求の範囲の減縮を目的としているとしたことに対しても、何ら釈明をしていない。
　　　
（１）本件補正発明
　本件補正発明は、本件補正により補正された特許請求の範囲並びに明細書及び図面の記載からみて、前記１の（２）に示す特許請求の範囲の請求項１に記載された事項により特定されるとおりのものである。
　　　　
（２）引用刊行物
　これに対して、原査定の拒絶の理由に引用された、本件優先日前に頒布された刊行物である特開２００３−３１０３３５号公報（以下「刊行物１」という。）には、以下の事項が記載されている。なお、下線は当審で付した。
　　　
ア　段落【０００１】〜【０００５】
「【０００１】
【発明の属する技術分野】本発明は、睫毛を成形するための睫毛成形具に関するものである。
【０００２】
【従来の技術】睫毛を成形するための睫毛成形具であって、把持するための把持部と、把持部先端に延設され睫毛のカールづけを行なう成形部とを備えた一般の睫毛成形具には、成形部の睫毛作用側に露出するように設けられるヒータを有している形式のものがある。
【０００３】例えば、特開平２００１−１２０３３３号公報には、成形部のヒータに電流を通じて加熱するとともに、加熱されたヒータ表出面を睫毛に押し当てるようにして接触させることにより、睫毛をカールさせることができるように構成された技術が開示されている。
【０００４】
【発明が解決しようとする課題】しかしながら、
目元を美しく見せるための睫毛の状態としては、睫毛同士がくっついているよりも離れている状態の方がよりボリューム感があり美しく見えることは以前から知られていることであるにもかかわらず、上述のような睫毛成形具の従来技術では、睫毛を分散させて成形することができないため、睫毛を梳かすための櫛を別途併用しなければならないという問題があった
【０００５】本発明は上記不具合に鑑みてなされたものであり、
成形部の睫毛作用側に露出するように設けられるヒータを有している睫毛成形具において、睫毛を成形するとともに睫毛を分散させることができる睫毛成形具を提供すること
　　
イ　段落【００１８】〜【００３３】
「【００１８】
【発明の実施の形態】以下、添付図面を参照しながら本発明の好ましい実施の一形態について詳述する。図１は本発明の実施形態に係る睫毛成形具１０の構成を示す正面図であり、図２は本発明の実施形態に係る睫毛成形具１０の構成を示す側面図である。
【００１９】図１と図２とを参照して、図示の本発明の実施形態に係る
睫毛成形具１０は、睫毛を成形するためのものであって、把持するための把持部１と、把持部１の一端に延設され睫毛を成形する成形部２とを備えており、この成形部２には、基台３と、成形部２の睫毛作用側に基台３の一面に露出するように設けられるヒータ４とを備えている
【００２０】また、
このヒータ４が露出する基台３の一面３ａ側には、睫毛の当て面３ｂが設けられており、この当て面３ｂに、睫毛を成形するのと同時に睫毛を分散させることができるようにするために、櫛片５が設けられている
【００２１】また、基台３の一面３ａ側には、さらに、櫛片５がまぶたに当たることを防止しながら睫毛を分散させることができるようにするために、櫛片５よりも高い複数のリブ６が平行に設けられている。
【００２２】そして、本発明の実施形態に係る
睫毛成形具１０は
睫毛を成形してカールさせることができるように構成されている
【００２３】上記把持部１は、細長い円筒状の合成樹脂製容器で構成されており、この把持部１の中には、詳細は省略するが、単４電池を脱着自在に収納する電池室とともに、ヒータ４の発熱を制御して適当な温度にヒータ４の温度を維持するための制御回路が設けられたプリント基板を収納する回路室が設けられている。
【００２４】また、この把持部１には、側面に電源スイッチ１ａが設けられており、この電源スイッチ１ａを把持部１の長手方向にスライドさせることにより、電池からヒータ４に対する電力の供給がＯＮ、ＯＦＦされる。
【００２５】上記基台３は、成形部２において、把持部１の一端に延設された棒状の部分であり、睫毛を成形部２に受け入れて成形を容易にする為に、基台３の中心軸と把持部１の中心軸は一定距離だけ平行に偏心した構成になっている。
【００２６】図３は本発明の実施形態に係る睫毛成形具１０の成形部２の構成を示す正面図である。また、図４は本発明の実施形態に係る睫毛成形具１０の成形部２の構成を示す側面図である。
【００２７】また、図５は本発明の実施形態に係る睫毛成形具１０の成形部２の構成を示す断面図である。
【００２８】図３〜図５を参照して、上記ヒータ４は、通電されると発熱するニクロム線等の電熱線が採用されている。この電熱線は、電池の電力ですみやかに発熱するが、発生する熱によって、ヒータ４近傍の合成樹脂等の部材が溶融することのない温度になるように、最適な抵抗値のものが使用されている。
【００２９】この
ヒータ４は、Ｕ字状に曲折して形成された絶縁ロッド４ｂにニクロム線をコイル状に巻きつけて形成されており、基台３の内部に設けたＵ字溝３ｂに配設されている
【００３０】この
ヒータ４は、基台３からヒータ４の表出面４ａが外方に臨んでおり、このヒータ４の表出面４ａに睫毛を接触させることにより睫毛を成形してカールすることができるようになっている
【００３１】また、このヒータ４は、電池からヒータ４に電力を供給するためのリード線４ｃに接続されており、このリード線４ｃは、把持部１（図１）の回路室に配設された図略のプリント基板に接続されている。
【００３２】上記
櫛片５は、カールづけを行おうとする睫毛を、ヒータ４による睫毛のカールづけを損なうことがない状態で分散させるために、睫毛の当て面３ｂに対し略垂直に設けられた略円柱状の部分であり、ヒータ４による睫毛のカールづけの直前、直後に睫毛を分散させるために、基台３の一面の両側部３ｃに設けられる
【００３３】上記複数のリブ６は、櫛片５がまぶたに当たることを防止しながら睫毛を分散させることができるようにするために、基台３の一面３ａ側に櫛片５よりも高く設けられたものであり、睫毛をカールさせる方向すなわち、把持部１の軸方向と垂直な方向に等間隔に平行に設けられている。このリブ６は、ヒータ４の表出面４ａが、リブ６の先端６ａよりも外側に突出することを確実に阻止している。そのため、ヒータ４が直接まぶたに当たりやけどすることを防止できる。また、リブ６の先端６ａの縁は断面が滑らかな曲線になるように成形されており、使用者のまぶたを傷つけることなく隣接するリブ６の間に睫毛を滑らかに導入することができる構成になっている。」
　　
ウ　段落【００３４】〜【００３９】
「【００３４】次に図６を参照して、本実施形態の睫毛成形具１０の作用について説明する。図６は本発明の実施形態に係る睫毛成形具１０の使用状態を示す説明図であり、図６を参照して、（ａ）は、本実施形態に係る睫毛成形具１０のヒータ４を睫毛の基部Ｅａに押し当てている状態、（ｂ）は、本実施形態に係る睫毛成形具１０のヒータ４を睫毛の中央部Ｅｂに押し当てている状態、（ｃ）は、本実施形態に係る睫毛成形具１０のヒータ４を睫毛の中央部Ｅｂから上部Ｅｃにかけて押し当てている状態を示している。
【００３５】このように、本実施形態に係る睫毛成形具１０の使用者は、図略の鏡と正対し
、図示のように、櫛片５と櫛片５との間に睫毛を導入させた状態
【００３６】以上説明したように、本実施形態の睫毛成形具１０によれば、把持部１の一端に延設され睫毛を成形する成形部２において、
基台３の一面３ａ側に櫛片５が設けられているので、睫毛を成形するのと同時に睫毛を分散させることができる
【００３７】また、本実施形態の睫毛成形具１０によれば、
睫毛の当て面３ｂに対し、略垂直方向に櫛片５を設けた
【００３８】また、本実施形態の
睫毛成形具１０によれば、基台３の一面の両側部３ｃに櫛片５を設けたので、ヒータ４による睫毛のカールづけの直前、直後に睫毛を分散させることができる結果、的確に睫毛を分散させることができる
【００３９】また、本実施形態の睫毛成形具１０によれば、基台３の一面３ａ側に櫛片５よりも高いリブ６を設けたので、櫛片５がまぶたに当たることを防止しながら睫毛を分散させることができる。」
　　
エ　櫛片５を睫毛の当て面３ｂに対し略垂直方向に設けた旨の記載（上記イの段落【００３２】及び上記ウの段落【００３７】参照。）を図５に照らすと、睫毛成形具１０は、縦方向中央面を備え（図５のヒータ４間にある縦方向の破線参照。）、櫛片５は縦方向中央面と略平行に突出している、ということができる。また、図３及び図５からみて、櫛歯５は、縦方向中央面に対して対照的に配置されている、ということができる。
　　　　
　前記アないしウに摘示した事項並びに前記エで認定した事項から、刊行物１には、次の発明（以下「引用発明」という。）が記載されていると認められる。
　　
「睫毛をカールする睫毛成形具１０であって、
　ヒータ４と、
　ヒータ４が露出する基台３の一面３ａ側に設けられた睫毛の当て面３ｂに、その当て面３ｂに対し略垂直に設けられ、かつ、その基台３の一面３ａの両側部３ｃに設けられた複数の櫛片５とを有し、
　櫛片５は、ヒータ４による睫毛のカールづけの直前、直後に睫毛を分散させるために構成され、ヒータ４は、基台３からのヒータ４の表出面４ａに睫毛を接触させることにより睫毛を成形してカールできるように構成され、
　睫毛成形具１０が縦方向中央面を備え、櫛片５は縦方向中央面と略平行に突出し、
　櫛片５は、縦方向中央面に対して対照的に配置される睫毛成形具１０。」
　　
（３）対比
　本件補正発明と引用発明とを対比する。
　引用発明の「睫毛をカールする睫毛成形具１０」は、睫毛に塗布する薬剤を収容する容器を閉じないように構成されていることが明らかであること、及びその機能からみて、本件補正発明の「睫毛に塗布する薬剤を収容する容器を閉じないように構成された、睫毛をカールする装置（１）」に相当する。
　引用発明の「ヒータ４」は、本件補正発明の「ヒータ部材（４）」に相当する。
　次に、引用発明の「ヒータ４が露出する基台３の一面３ａ側に設けられた睫毛の当て面３ｂに、その当て面３ｂに対し略垂直に設けられ、かつ、その基台３の一面３ａの両側部３ｃに設けられた複数の櫛片５とを有」することについて、「複数の櫛片５」は「基台３の一面３ａの両側部３ｃに設けられ」ているから、引用発明は、「突出要素の二つの列」を有している。そして、「複数の櫛片５」は、「ヒータ４が露出する基台３の一面３ａ側に設けられた睫毛の当て面３ｂに、その当て面３ｂに対し略垂直に設けられ」ると共に、櫛片５と櫛片５との間に睫毛を導入させる（前記（２）ウの段落【００３５】参照。）ことで、ヒータ４による睫毛のカールづけの直前、直後に睫毛を分散させることができる結果、的確に睫毛を分散させることができる（上記（２）ウの段落【００３８】参照。）ものである。
　そうすると、引用発明の「ヒータ４が露出する基台３の一面３ａ側に設けられた睫毛の当て面３ｂに、その当て面３ｂに対し略垂直に設けられ、かつ、その基台３の一面３ａの両側部３ｃに設けられた複数の櫛片５とを有」することは、本件補正発明の「それぞれが該ヒータ部材（４）の反対側に配置され、その中に睫毛を係合させることのできる空間（１５）を相互間に残す突出要素（６）の少なくも二つの列（５）とを有」することに相当する。
　次に、引用発明の「櫛片５は、ヒータ４による睫毛のカールづけの直前、直後に睫毛を分散させるために構成され、ヒータ４は、基台３からのヒータ４の表出面４ａに睫毛を接触させることにより睫毛を成形してカールできるように構成され」ることと、本件補正発明の「ヒータ部材（４）と突出要素（６）の列（５）とが、睫毛をヒータ部材（４）に接触させないで睫毛を分離するため突出要素（６）を用いるか又は、ヒータ部材（４）から放出される熱を睫毛に受けさせながら、睫毛をカールするかのいずれかを選択的にできるように構成され」ることとを対比する。
　前者の「櫛片５は、ヒータ４による睫毛のカールづけの直前、直後に睫毛を分散させるために構成され」ることと、後者の「睫毛をヒータ部材（４）に接触させないで睫毛を分離するため突出要素（６）を用いる」こととは、「睫毛を分離するため突出要素を用いる」ように構成されるという限りにおいて共通する。また、前者の「ヒータ４は、基台３からのヒータ４の表出面４ａに睫毛を接触させるさせることにより睫毛を成形してカールできるように構成され」ることは、後者の「ヒータ部材（４）から放出される熱を睫毛に受けさせながら、睫毛をカールする」ように構成されることに相当する。
　そうすると、両者は、ヒータ部材と突出要素の列とが、睫毛を分離するため突出要素を用いることと、ヒータ部材から放出される熱を睫毛に受けさせながら、睫毛をカールすることができるように構成される、という限りにおいて共通する。
　また、引用発明の「櫛片５は、縦方向中央面に対して対照的に配置されている」ことと、本件補正発明の「列（５）が、ヒータ部材（４）の縦軸（Ｘ）を含む対称中央面（Ｐ）に対して対称的に配置される」こととは、列が、対称中央面に対して対称的に配置される、という限りにおいて共通する。　　
　　　　
　したがって、両者の一致点及び相違点は、次のとおりと認められる。
　　　
＜一致点＞
　「睫毛に塗布する薬剤を収容する容器を閉じないように構成された、睫毛をカールする装置であって、
　ヒータ部材と、
　それぞれが該ヒータ部材の反対側に配置され、その中に睫毛を係合させることのできる空間を相互間に残す突出要素の少なくも二つの列とを有し、
　ヒータ部材と突出要素の列とが、睫毛を分離するため突出要素を用いることと、ヒータ部材から放出される熱を睫毛に受けさせながら、睫毛をカールすることができるように構成され、
　前記装置が縦方向中央面を備え、
　列が、対称中央面に対して対称的に配置される装置。」の点。
　　　　
＜相違点１＞
　ヒータ部材と突出要素の列とが、睫毛を分離するため突出要素を用いることと、ヒータ部材から放出される熱を睫毛に受けさせながら、睫毛をカールすることができるように構成される点について、本件補正発明は、「睫毛をヒータ部材（４）に接触させないで睫毛を分離するため突出要素（６）を用いるか又は、ヒータ部材（４）から放出される熱を睫毛に受けさせながら、睫毛をカールするかのいずれかを選択的にできるように構成され」るのに対し、引用発明は、睫毛を分離するため突出要素を用いることが「睫毛をヒータ部材に接触させないで」できるように構成されているかどうか不明であり、さらに、睫毛を分離するため突出要素を用いることと、ヒータ部材から放出される熱を睫毛に受けさせながら、睫毛をカールすることとが、選択的にできるように構成されているかどうか不明な点。
　  　
＜相違点２＞　
　本件補正発明は、「突出要素の列の中の少なくも幾つかの突出要素は、その自由端に進むに連れ、縦方向中央面から離れる方向を指し」ているのに対し、引用発明は、突出要素である櫛片５が縦方向中央面と略平行に突出している点。　　
　　　
＜相違点３＞
　列が、対称中央面に対して対称的に配置される点について、本件補正発明は、「列（５）が、ヒータ部材（４）の縦軸（Ｘ）を含む対称中央面（Ｐ）に対して対称的に配置される」のに対し、引用発明は、「列が、対称中央面に対して対称的に配置される」ものの、対称中央面がヒータ部材の縦軸を含むかどうか不明な点。　
　　　
（４）当審の判断
ア　相違点２について
　事案にかんがみ、まず、相違点２について検討する。
　睫毛を分散させるための櫛片すなわち突出要素を、その自由端に進むに連れ、縦方向中央面から離れる方向に指すようにすることは、従来周知の事項である（例えば、特開２００１−１８６９２５号公報の段落【０００８】、【０１０９】、図２９の「歯２９４」、米国特許第４９６４４２９号明細書の第５欄第３０行〜第６欄第２行、図１、２の「歯の列６」、国際公開９５／１７８３７号の第１１ページ第１５行〜第３３行、図９、１０の「剛毛２５４」、登録実用新案第３０８８６６８号公報の段落【０００４】〜【０００６】、図１、２を参照のこと。以下これを「周知事項１」という。）
　そして、引用発明の櫛片５と上記周知事項１の突出要素とは、それにより睫毛を分散させる点で機能が共通するから、上記周知事項１をふまえ、引用発明において、櫛片５すなわち突出要素を縦方向中央面と略平行に突出させるのに代えて、その自由端に進むに連れ縦方向中央面から離れる方向に指すようにして、「突出要素の列の中の少なくも幾つかの突出要素は、その自由端に進むに連れ、縦方向中央面から離れる方向を指」すようにすることは、当業者が容易になし得たことである。　
　　
イ　相違点３について
　次に、相違点３について検討する。　　
　睫毛成形具すなわち睫毛をカールする装置において、ヒータ部材の縦軸をを対称中央面に配置することは従来周知の事項である（例えば、特開２０００−３５４５０９号公報の段落【００２４】、【００２５】、図３の「電熱線１５」、特開平１０−１９２０３７号公報の段落【０００９】、図４〜６の「発熱体１１４」を参照のこと。以下これを「周知事項２」という。）。
　そして、引用発明のヒータ４と上記周知事項２のヒータ部材とは、睫毛成形具すなわち睫毛をカールする装置のヒータ部材で共通するから、上記周知事項２をふまえ、引用発明において、ヒータ部材の縦軸を対称中央面に配置することは当業者が容易になし得たことである。このとき、「列が、ヒータ部材の縦軸を含む対称中央面に対して対称的に配置される」ようになることは明らかである。
　　
ウ　相違点１について
　本件補正発明の「ヒータ部材（４）と突出要素（６）の列（５）とが、睫毛をヒータ部材（４）に接触させないで睫毛を分離するため突出要素（６）を用いるか又は、ヒータ部材（４）から放出される熱を睫毛に受けさせながら、睫毛をカールするかのいずれかを選択的にできるように構成され」るとの事項は、「ヒータ部材（４）と突出要素（６）の列（５）」の構成を、「ヒータ部材（４）と、それぞれが該ヒータ部材（４）の反対側に配置され、その中に睫毛を係合させることのできる空間（１５）を相互間に残す突出要素（６）の少なくも二つの列（５）とを有し、」「装置が縦方向中央面を備え、突出要素の列の中の少なくも幾つかの突出要素は、その自由端に進むに連れ、縦方向中央面から離れる方向を指し、列（５）が、ヒータ部材（４）の縦軸（Ｘ）を含む対称中央面（Ｐ）に対して対称的に配置される」ように構成することにより、「睫毛をヒータ部材（４）に接触させないで睫毛を分離するため突出要素（６）を用いるか又は、ヒータ部材（４）から放出される熱を睫毛に受けさせながら、睫毛をカールするかのいずれかを選択的にできる」ことと解することができる（請求人も、「本願の請求項１（当審注：「本件補正発明」のこと。）に記載の装置では、突出要素の列の中の少なくも幾つかの突出要素は、その自由端に進むに連れ、縦方向中央面から離れる方向を指すように構成したことにより、この装置を使用する人にとって睫毛をヒータ部材に接触させずに睫毛を分離させるのに非常に好都合であります。」（審判請求書の請求の理由の３．（ロ）、平成２２年１０月１４日付け回答書の４．」）として、このような理解に沿った主張をする。）。
　一方、引用発明のヒータ４は、基台３からのヒータ４の表出面４ａに睫毛を接触させることにより睫毛を成形してカールできるように構成されているから、本件補正発明と同様、ヒータ部材から放出される熱を睫毛に受けさせながら、睫毛をカールすることができることは明らかである。
　また、上記ア及びイで検討したとおり、周知事項１及び２をふまえ、引用発明において、「突出要素の列の中の少なくも幾つかの突出要素は、その自由端に進むに連れ、縦方向中央面から離れる方向を指す」よう構成すること、「列が、ヒータ部材の縦軸を含む対称中央面に対して対称的に配置される」よう構成することは、当業者が容易になし得たことである。そして、このとき、「ヒータ部材と、それぞれが該ヒータ部材の反対側に配置され、その中に睫毛を係合させることのできる空間を相互間に残す突出要素の少なくも二つの列とを有し、」「前記装置が縦方向中央面を備え、突出要素の列の中の少なくも幾つかの突出要素は、その自由端に進むに連れ、縦方向中央面から離れる方向を指し、列が、ヒータ部材の縦軸を含む対称中央面に対して対称的に配置される」こととなるから、ヒータ部材と突出要素の列の構成は、本件補正発明と同様、睫毛をヒータ部材に接触させないで睫毛を分離するため突出要素を用いることのできる構成であることは明らかである。　
　そして、睫毛をヒータ部材に接触させないで睫毛を分離するため突出要素を用いるか、ヒータ部材から放出される熱を睫毛に受けさせながら、睫毛をカールするかは、かかるヒータ部材と突出要素の列の構成を前提とした、睫毛成形具の使い方の選択にすぎないから、当業者が適宜なし得たことである。
　以上のとおりであるから、引用発明において相違点１に係る本件補正発明が具備する構成とすることは、引用発明、周知事項１及び周知事項２から、当業者が容易になし得たことである。
　
エ　本件補正発明の効果について
　本件補正発明の作用効果についてみても、引用発明、周知事項１及び周知事項２から当業者が十分予測できる範囲のものであって、顕著なものとはいえない。　　
　　
オ　小括
　以上のとおり、本件補正発明は、引用発明、周知事項１及び周知事項２から当業者が容易に発明をすることができたものであるから、特許法第２９条第２項の規定により特許出願の際独立して特許を受けることができないものである。
　　　
３　むすび
　したがって、本件補正は、改正前特許法第１７条の２第５項において準用する同法第１２６条第５項の規定に違反するので、同法第１５９条第１項において読み替えて準用する同法第５３条第１項の規定により却下すべきものである。
　　　　
第３　本願発明について
１　本願発明
　本件補正は、上記のとおり却下されたので、本件出願の請求項１に係る発明は、平成２０年３月１２日付け手続補正書により補正された特許請求の範囲並びに明細書及び図面の記載からみて、その特許請求の範囲の請求項１に記載されたとおりのものであると認められるところ、請求項１に係る発明（以下「本願発明」という。）は、前記第２の１（１）に記載された事項により特定されるとおりのものである。
　　　　
２　引用刊行物
　これに対して、原査定の拒絶の理由に引用された刊行物１には、前記第２の２（２）で示したとおりの事項が記載されている。
　　　　
３　対比、判断
　本願発明は、本件補正発明の「列（５）が、ヒータ部材（４）の縦軸（Ｘ）を含む対称中央面（Ｐ）に対して対称的に配置される」との事項を削除するとともに、本件補正発明の「睫毛に塗布する薬剤を収容する容器を閉じないように構成された」との事項を「睫毛に対し塗布する薬剤を収容する容器を閉じないように設計され」と、本件補正発明の「その中に睫毛を係合させることのできる空間（１５）を相互間に残す突出要素（６）の少なくも二つの列（５）とを有し」との事項を「その中に睫毛を係合させることの出来る空間（１５）を互いの間に残す突出要素（６）の列（５）少なくも二つと、を含み」と、本件補正発明の「ヒータ部材（４）から放出される熱を睫毛に受けさせながら」との事項を「ヒータ部材（４）が放出する熱を睫毛に受けさせながら」とするものである。
　してみると、本願発明を構成する事項をすべて含む本件補正発明が、上記第２の２（４）で述べたとおり、引用発明、周知事項１及び周知事項２から当業者が容易に発明をすることができたものであるから、本願発明も同様の理由により当業者が容易に発明をすることができたものである。
　　　
４　むすび
　したがって、本願発明は、特許法第２９条第２項の規定により特許を受けることができないものである。
　よって、本件出願のその余の請求項に係る発明について検討するまでもなく、結論のとおり審決する。